(57)【要約】【課題】ポジションセンサを用いることなく安価なシステムでエンジン作動中に変化するトルクを推定し、そのトルクに基づいて昇温手段を制御することができる内燃機関の排気浄化装置を提供する。【解決手段】制御装置３０は、空燃比センサ３３により検出された酸素濃度検出結果に基づいて標高を推定するとともに、推定された標高に応じた換算近似式（例えばＹ２で示す換算近似式）を選定する。さらに、制御装置３０は、選定された換算近似式を用いてエンジントルクを推定するとともに、推定されたエンジントルクと、検出されたエンジン回転数とを用いてＰＭ堆積量を推定する。そして、制御装置３０は、推定されたＰＭ堆積量が所定量以上であれば、フィルタ２０の再生処理モードを開始する。【選択図】図１
2011252486.tif 000002
【特許請求の範囲】
【請求項１】
内燃機関で発生する排気を導く排気通路に設けられるとともに排気に含まれるＰＭを捕集するフィルタと、
前記フィルタにおけるＰＭ堆積量を推定する堆積量推定手段と、
前記排気通路における前記フィルタよりも上流側の排気温度を昇温させる昇温手段と、
前記排気通路における前記昇温手段よりも上流側に設けられるとともに前記排気通路を流れる排気中の酸素濃度を検出する酸素濃度検出手段と、
前記酸素濃度検出手段により検出された酸素濃度に基づいてトルクを推定するトルク推定手段と、
前記トルク推定手段により推定されたトルクを利用して前記昇温手段を制御する制御手段と、を備えたことを特徴とする内燃機関の排気浄化装置。
【請求項２】
前記酸素濃度検出手段により検出された排気中の酸素濃度に基づいて標高を推定する標高推定手段をさらに備え、
前記トルク推定手段は、前記標高推定手段により推定された標高に応じてトルクを推定することを特徴とする請求項１に記載の内燃機関の排気浄化装置。
【請求項３】
前記標高推定手段は、前記内燃機関が無負荷状態のときに前記酸素濃度検出手段により検出された排気中の酸素濃度に基づいて標高を推定することを特徴とする請求項２に記載の内燃機関の排気浄化装置。
【請求項４】
前記トルク推定手段は、前記酸素濃度検出手段により検出された酸素濃度とトルクとの関係から得られる換算近似式を、前記標高推定手段により推定された標高に応じて選定し、
選定された前記換算近似式と、前記酸素濃度検出手段により検出された酸素濃度との関係を用いて、前記標高推定手段により推定された標高に応じたトルクを推定することを特徴とする請求項２又は請求項３に記載の内燃機関の排気浄化装置。
【請求項５】
前記トルク推定手段は、前記内燃機関の回転数と、トルクとの関係を表す酸素濃度マップを、前記標高推定手段により推定された標高に応じて選定し、
前記トルク推定手段は、選定された前記酸素濃度マップを用いて、前記酸素濃度検出手段により検出された酸素濃度と、前記内燃機関の検出された回転数とに応じたトルクを推定することを特徴とする請求項２又は請求項３に記載の内燃機関の排気浄化装置。
【請求項６】
前記堆積量推定手段は、前記トルク推定手段により推定されたトルクを利用して前記フィルタにおけるＰＭ堆積量を推定することを特徴とする請求項１〜請求項５のいずれか一項に記載の内燃機関の排気浄化装置。
【請求項７】
前記堆積量推定手段は、前記フィルタの上流側及び下流側の圧力を検出する差圧センサの検出値からＰＭ堆積量を推定することを特徴とする請求項１〜請求項５のいずれか一項に記載の内燃機関の排気浄化装置。
【請求項８】
前記昇温手段は、前記排気通路に燃料を噴射する燃料噴射ノズルと、前記燃料噴射ノズルから噴射された燃料を着火燃焼させるための点火プラグと、前記燃料噴射ノズルにエアを供給するエアポンプと、前記燃料噴射ノズルに燃料を供給する燃料ポンプとを備えたバーナ装置であることを特徴とする請求項１〜請求項７のいずれか一項に記載の内燃機関の排気浄化装置。
【発明の詳細な説明】
【技術分野】
【０００１】
本発明は、内燃機関の排気浄化装置に関する。
【背景技術】
【０００２】
一般に、ディーゼルエンジン（内燃機関）の排気通路には、排気中のＰＭ（Ｐａｒｔｉｃｕｌａｔｅ  Ｍａｔｔｅｒ）を捕集するフィルタを備えた排気浄化装置が搭載されている。こうした排気浄化装置では、フィルタに捕集されたＰＭの量が増大するにつれてフィルタの圧力損失が増大し、排気抵抗が増大してエンジントルクの低下等をもたらすことになる。また、フィルタの捕集機能も低下する。このため、排気浄化装置では、昇温手段によりフィルタ前の排気温度を適切な温度まで昇温させ、フィルタに捕集されたＰＭを燃焼させてフィルタの捕集機能を再生させるための再生処理が実行される。
【０００３】
電子制御装置を備えたコモンレール式ディーゼルエンジンでは、例えば、フィルタ前に酸化触媒が配置されるとともに、フィルタの再生処理の際に、電子制御装置により燃料噴射弁の噴射時期が制御され、フィルタの再生処理のために燃料が排気行程で噴射され、排気通路へ供給される。そして、排気通路へ供給された燃料が酸化触媒により酸化することにより、フィルタ前の排気温度を昇温させている。
【０００４】
しかし、ディーゼルエンジンとしては、電子制御装置を持たず、ＶＥ型等、機械式の燃料噴射ポンプにより燃料噴射時期を制御するものがある（例えば特許文献１参照）。特許文献１のディーゼル機関の燃料噴射時期制御装置は、機関により駆動される低圧燃料ポンプと高圧燃料ポンプとを備え、低圧燃料ポンプの燃料吸入圧力と燃料吐出圧力とを噴射時期制御用のプランジャの両側に作用させて、このプランジャを往復移動させることにより、高圧燃料ポンプから機関の各気筒に噴射される燃料噴射時期を制御するものである。
【０００５】
特許文献１のような燃料噴射ポンプを備えたディーゼルエンジンは、比較的小型のディーゼルエンジン、例えば小型のフォークリフトのエンジン等で未だ多用されている。これは、コモンレール式ディーゼルエンジンは、非常に高圧な燃料をコモンレールに維持する関係上、コモンレールをはじめとする燃料系に高い強度が求められ、サイズ、重量、コストなどの都合により、特に小型のエンジンには採用しづらいことによる。
【０００６】
しかしながら、機械式の燃料噴射ポンプは、コモンレール式ディーゼルエンジンのように、フィルタの再生処理のときだけ、排気温度の昇温のために燃料を噴射するといった自由な制御ができない。また、特許文献１のような機械式の燃料噴射ポンプを備えたディーゼルエンジンは、特にフォークリフトへの適用時においては、走行目的とともに荷役目的でもエンジンを駆動させる為、ディーゼルエンジンのトルクの推定が困難であるという問題があった。このため、エンジン負荷の変化に伴う排気温度の変化を推定することができず、排気中に噴射する燃料量を制御することができず、フィルタの再生処理の制御を行うことができない。よって、フィルタの再生処理が必要な際には、フォークリフトによる荷役作業を中断してフィルタの再生処理を手動で行わざるを得ず、作業効率が悪くなってしまっている。
【０００７】
このようなディーゼルエンジンにおいては、フィルタの再生処理のための専用の燃料噴射装置を備えるとともに、この燃料噴射装置の燃料噴射量を制御可能な制御装置を備えたものが、例えば、特許文献２に挙げられる。特許文献２のディーゼルエンジンの排ガス浄化用燃焼器では、燃料油タンクに貯留された燃料油が燃料ポンプによりノズルを介して燃焼器内に注入され、グロープラグにより燃料が着火燃焼される結果、燃焼器内を流れる排気温度を昇温させている。
【０００８】
また、特許文献２の排ガス浄化用燃焼器は、排気中の酸素濃度を検出する酸素センサ（酸素濃度検出手段）と、排気温度を検出する温度センサと、ＤＰＦ出力の排気圧力を検出する圧力センサとを備えている。そして、酸素センサの信号、温度センサの信号及び圧力センサの信号に基づいて、排気温の昇温のための着火・安定燃焼が可能な条件が確保されていることを確認して、燃料油を投入してグロープラグにより燃料を着火燃焼させて排気温を昇温させている。
【先行技術文献】
【特許文献】
【０００９】
【特許文献１】特開昭５４−５３７１５号公報
【特許文献２】特開２００２−２４２６６１号公報
【発明の概要】
【発明が解決しようとする課題】
【００１０】
ところで、特許文献２の排ガス浄化用燃焼器において、フィルタの再生処理のために排気温度を昇温させるためには、燃焼器内を流れる排気温度を検出してノズルから噴射される燃料の噴射量を制御する必要がある。排気温度を検出する方法としては、特許文献２のように温度センサ（例えば熱電対）を用いる方法もあるが、温度センサの熱容量により、負荷が瞬時に大きく変わるような、例えばフォークリフト用（建設機械用）エンジンには追随できないという問題がある。
【００１１】
また、排気温度を検出する方法としては、噴射量からトルクを検出し、そのトルクから排気温度を推定する方法もある。このような場合のトルク検出としては、例えば、アクセル開度センサ（ポジションセンサの一種）が用いられるが、フォークリフトに用いられるオールスピードガバナの特性では、回転数の僅かな変化に対してトルクが大きく変化してしまうため、トルクを精度良く検出することができない。そのため、アクセル開度センサを用いて検出されたトルクから排気温度を精度良く推定することができない。
【００１２】
本発明は、このような従来の技術に存在する問題点に着目してなされたものであり、その目的は、ポジションセンサを用いることなく安価なシステムでエンジン作動中に変化するトルクを推定し、そのトルクに基づいて昇温手段を制御することができる内燃機関の排気浄化装置を提供することにある。
【課題を解決するための手段】
【００１３】
上記目的を達成するために、請求項１に記載の発明は、内燃機関で発生する排気を導く排気通路に設けられるとともに排気に含まれるＰＭを捕集するフィルタと、前記フィルタにおけるＰＭ堆積量を推定する堆積量推定手段と、前記排気通路における前記フィルタよりも上流側の排気温度を昇温させる昇温手段と、前記排気通路における前記昇温手段よりも上流側に設けられるとともに前記排気通路を流れる排気中の酸素濃度を検出する酸素濃度検出手段と、前記酸素濃度検出手段により検出された酸素濃度に基づいてトルクを推定するトルク推定手段と、前記トルク推定手段により推定されたトルクを利用して前記昇温手段を制御する制御手段と、を備えたことを要旨とする。
【００１４】
この発明によれば、トルク推定手段により排気中の酸素濃度に基づいてトルクを推定している。したがって、トルク推定手段により推定されたトルクに基づいて排気温度を推定し、昇温手段を制御することができる。よって、排気温度検出のために、熱電対のような温度センサを必要とせず、装置自体を簡素化することができる。また、内燃機関が回転数の僅かな変化に対してトルクが大きく変化するようなガバナ特性を有していても、酸素濃度からトルクを推定することで、ポジションセンサを用いることなく安価なシステムでエンジン作動中に変化するトルクを推定することができる。そして、そのトルクに基づいて昇温手段を制御して、フィルタよりも上流の排気温度を適切な温度に昇温させ、フィルタに堆積したＰＭを除去することができる。
【００１５】
請求項２に記載の発明は、請求項１に記載の発明において、前記酸素濃度検出手段により検出された排気中の酸素濃度に基づいて標高を推定する標高推定手段をさらに備え、前記トルク推定手段は、前記標高推定手段により推定された標高に応じてトルクを推定することを要旨とする。
【００１６】
高地の酸素量は低地の酸素量よりも低いため、高地走行時と低地走行時とでは、排気中の酸素濃度が変化してしまい、推定されるトルクも変化してしまう。この発明によれば、標高推定手段は、排気中の酸素濃度に基づいて標高を推定している。よって、例えば、気圧センサ等を用いて標高を推定する場合に比べて、部品点数を増加させることなく、標高を推定することができる。そして、トルク推定手段は、標高推定手段により推定された標高に応じてトルクを推定する。よって、排気中の酸素濃度が標高によって変動したとしても、トルクを正確に推定することができる。
【００１７】
請求項３に記載の発明は、請求項２に記載の発明において、前記標高推定手段は、前記内燃機関が無負荷状態のときに前記酸素濃度検出手段により検出された排気中の酸素濃度に基づいて標高を推定することを要旨とする。
【００１８】
例えば、アクセルペダルを踏み込むことでトルクが変動すると、排気中の酸素濃度にばらつきが生じる。しかし、この発明によれば、標高推定手段は、内燃機関が無負荷状態のときの酸素濃度に基づいて標高を推定しているため、酸素濃度検出手段により検出される酸素濃度にばらつきが生じることがなく、標高を正確に推定することができる。
【００１９】
請求項４に記載の発明は、請求項２又は請求項３に記載の発明において、前記トルク推定手段は、前記酸素濃度検出手段により検出された酸素濃度とトルクとの関係から得られる換算近似式を、前記標高推定手段により推定された標高に応じて選定し、選定された前記換算近似式と、前記酸素濃度検出手段により検出された酸素濃度との関係を用いて、前記標高推定手段により推定された標高に応じたトルクを推定することを要旨とする。
【００２０】
この発明によれば、酸素濃度とトルクとの関係から得られる換算近似式を標高に応じて選定し、選定された換算近似式を用いることで、酸素濃度検出手段により検出された酸素濃度のみをパラメータとして使用するだけで、トルクを推定することができる。よって、トルクを推定するための演算処理が簡素化される。
【００２１】
請求項５に記載の発明は、請求項２又は請求項３に記載の発明において、前記トルク推定手段は、前記内燃機関の回転数と、トルクとの関係を表す酸素濃度マップを、前記標高推定手段により推定された標高に応じて選定し、前記トルク推定手段は、選定された前記酸素濃度マップを用いて、前記酸素濃度検出手段により検出された酸素濃度と、前記内燃機関の検出された回転数とに応じたトルクを推定することを要旨とする。
【００２２】
この発明によれば、標高に応じた酸素濃度マップを用い、且つ内燃機関の回転数を検出してトルクを推定している。よって、酸素濃度からトルクを推定する場合に比べて、内燃機関の回転数をパラメータとして考慮している分、さらに正確なトルクを得ることができる。
【００２３】
請求項６に記載の発明は、請求項１〜請求項５のいずれか一項に記載の発明において、前記堆積量推定手段は、前記トルク推定手段により推定されたトルクを利用して前記フィルタにおけるＰＭ堆積量を推定することを要旨とする。
【００２４】
この発明によれば、酸素濃度検出に基づいて推定されたトルクに基づいてフィルタにおけるＰＭ堆積量を推定しているため、部品点数の増加や、装置構成の複雑化をもたらさず簡単な構成でＰＭ堆積量を正確に推定することができる。
【００２５】
請求項７に記載の発明は、請求項１〜請求項５のいずれか一項に記載の発明において、前記堆積量推定手段は、前記フィルタの上流側及び下流側の圧力を検出する差圧センサの検出値からＰＭ堆積量を推定することを要旨とする。
【００２６】
この発明によれば、フィルタの上流側及び下流側に差圧が所定の閾値を越えたことのみを判定すればよいため、単純な制御でフィルタ再生の要否を判断することができる。また差圧センサであればセンサは１個で済むため、温度センサなど２個の絶対圧センサを用いる場合に比べて、部品点数の低減に加えて個体差のばらつきによる推定精度の低下を低減することができる。
【００２７】
請求項８に記載の発明は、請求項１〜請求項７のいずれか一項に記載の発明において、前記昇温手段は、前記排気通路に燃料を噴射する燃料噴射ノズルと、前記燃料噴射ノズルから噴射された燃料を着火燃焼させるための点火プラグと、前記燃料噴射ノズルにエアを供給するエアポンプと、前記燃料噴射ノズルに燃料を供給する燃料ポンプとを備えたバーナ装置であることを要旨とする。
【００２８】
この発明によれば、燃料噴射ノズルから噴射された燃料を点火プラグにより着火燃焼することで、フィルタ上流の排気温度を昇温させることができる。そして、制御手段は、エアポンプ及び燃料ポンプを制御して燃料噴射ノズルから噴射される燃料噴射量を制御することで、フィルタ上流の排気温度を所定の温度に維持することができる。
【発明の効果】
【００２９】
この発明によれば、ポジションセンサを用いることなく安価なシステムでエンジン作動中に変化するトルクを推定し、そのトルクに基づいて昇温手段を制御することができる。
【図面の簡単な説明】
【００３０】
【図１】（ａ）は第１の実施形態における排気浄化装置を備えたエンジン及びその周辺構成を示す概略図、（ｂ）は排気中の酸素濃度とエンジントルクとの関係を示すグラフ。
【図２】オールスピードガバナのガバナ特性を示すグラフ。
【図３】制御装置におけるフィルタの再生処理の制御手順を示すフローチャート。
【図４】第２の実施形態における酸素濃度に基づいて得られるエンジン回転数とエンジントルクとの関係を示す酸素濃度マップ。
【図５】制御装置におけるフィルタの再生処理の制御手順を示すフローチャート。
【図６】第３の実施形態における排気浄化装置を備えたエンジン及びその周辺構成を示す概略図。
【図７】制御装置における失火対策処理の制御手順を示すフローチャート。
【図８】第４の実施形態における排気浄化装置を備えたエンジン及びその周辺構成を示す概略図。
【図９】制御装置におけるフィルタの再生処理の制御手順を示すフローチャート。
【図１０】別例の制御装置における失火対策処理の他の制御手順を示すフローチャート。
【発明を実施するための形態】
【００３１】
（第１の実施形態）
以下、本発明を内燃機関としてのフォークリフト用ディーゼルエンジン（以下、単に「エンジン」と記載する）の排気浄化装置に具体化した第１の実施形態を図１〜図３にしたがって説明する。
【００３２】
図１（ａ）に示すように、エンジン１０の燃焼室１１ａには、吸気通路１２と排気通路１３とが接続されるとともに、気筒１１毎に燃料噴射弁１４がそれぞれ設けられている。これら燃料噴射弁１４には、燃料噴射ポンプ１５からそれぞれ独立して延びる燃料供給管１５ａが接続されている。そして、エンジン１０の駆動力により燃料噴射ポンプ１５が駆動されるとともに、燃料タンク１６に貯留された燃料が燃料噴射ポンプ１５の駆動により、燃料供給管１５ａを介して各燃料噴射弁１４に供給されるようになっている。また、燃料噴射ポンプ１５は、アクセルペダル１８の踏み込み量に応じて各燃料噴射弁１４から各気筒１１への燃料噴射量が調整されるようになっている。アクセルペダル１８には、踏み込み量を検出するためのアクセルポジションセンサ３１が接続されている。
【００３３】
エンジン１０は、オールスピードガバナ（図示せず）を備えるとともに、図２に示すようなガバナ特性を有するものとなっている。図２は、横軸にエンジン回転数を示すとともに、縦軸にエンジントルクを示し、特性線によりアクセル開度（％）に応じたエンジン回転数とエンジントルクとの関係を示している。例えば、アクセル開度３０％のときのエンジン回転数とエンジントルクとの関係は、図２に示す特性線Ｌのようになっている。
【００３４】
図２に示すように、エンジン１０は、アクセル開度に応じた各特性線の傾きが大きくなればなるほど、エンジン回転数の変化に対するエンジントルクの変化が大きくなる。すなわち、エンジン１０では、例えば、フォークリフトがフォーク上に荷を載置した状態で作業を行うときのように負荷が異なる場合、エンジン回転数を一定に維持させるために、アクセルペダル１８の踏み込み量が一定であったとして、燃料噴射弁１４の燃料噴射量を機械的に調整してエンジントルクを上げることができるようになっている。つまり、エンジン１０では、アクセルペダル１８の踏み込み量が一定であったとしても発生するエンジントルクにばらつきが生じるため、アクセルポジションセンサ３１によって検出されたアクセルペダル１８の踏み込み量によりエンジントルクを推定することが困難になっている。
【００３５】
また、図２に示すように、エンジン１０のガバナ特性は、アクセルペダル１８の踏み込み量に対しエンジントルクが大きく変動するようになっているため、アクセルペダル１８又はアクセルポジションセンサ３１の個体差によるエンジントルク推定の誤差も相対的に大きくなる。そのため、アクセルペダル１８の踏み込み量によりエンジントルクを推定することが困難となっている。
【００３６】
図１（ａ）に示すように、排気通路１３の下流側にはフィルタ２０が設けられている。フィルタ２０は、多孔質のセラミック構造体で構成されており、排気中のＰＭはこの多孔質の壁を通過する際に捕集される。
【００３７】
フィルタ２０は、ＰＭが所定量以上堆積すると、フィルタ２０に堆積したＰＭを燃焼除去させてフィルタ２０の捕集機能を再生する必要がある。ＰＭを燃焼除去するためには、フィルタ２０上流の排気温度を適切な温度（例えば６５０℃以上の高温）にする必要がある。この高温を実現するために、本実施形態では、バーナ装置４０が排気通路１３におけるフィルタ２０よりも上流側に設けられるとともに、このバーナ装置４０での燃料の着火燃焼によりフィルタ２０上流の排気温度が昇温されるようになっている。
【００３８】
バーナ装置４０は、排気通路１３におけるフィルタ２０よりも上流側に配置されるバーナ管４０ａを備えるとともに、バーナ管４０ａには燃料噴射ノズル４１と点火プラグ４２とが設けられている。燃料噴射ノズル４１には、エア通路４３ａを介してエアポンプ４３が接続されるとともに、エアポンプ４３により燃料噴射ノズル４１内に空気が供給されるようになっている。また、燃料噴射ノズル４１には、燃料通路４４ａを介して燃料ポンプ４４が接続されるとともに、燃料ポンプ４４は燃料タンク１６に接続されている。
【００３９】
そして、燃料噴射ノズル４１に供給された空気と燃料とが燃料噴射ノズル４１内でミキシングされた後、このミキシングされて微粒化された燃料が燃料噴射ノズル４１を介して点火プラグ４２に向かって噴射されるようになっている。点火プラグ４２に向かって噴射された燃料は、点火プラグ４２によりスパーク着火されて燃焼するとともに、この燃料の着火によりバーナ管４０ａ内でフィルタ２０上流の排気温度が昇温されるようになっている。よって、本実施形態では、燃料噴射ノズル４１と、点火プラグ４２と、エアポンプ４３と、燃料ポンプ４４とから昇温手段が構成されている。
【００４０】
点火プラグ４２、エアポンプ４３及び燃料ポンプ４４は、制御装置３０の制御を受ける。この制御装置３０は、中央処理制御装置（ＣＰＵ）、各種プログラムやマップ等を予め記憶した読出専用メモリ（ＲＯＭ）、ＣＰＵの演算結果等を一時記憶するランダムアクセスメモリ（ＲＡＭ）、タイマカウンタ、入力インターフェース、出力インターフェース等を備えたマイクロコンピュータを中心に構成されている。
【００４１】
制御装置３０には、アクセルポジションセンサ３１、クランク角度検出器３２及び酸素濃度検出手段としての空燃比センサ３３が信号接続されるとともに、エアポンプ４３及び燃料ポンプ４４が電気的に接続されている。アクセルポジションセンサ３１によって検出されたアクセル踏み込み量検出結果は、制御装置３０へ送られる。
【００４２】
また、クランク角度検出器３２は、図示しないクランク軸の回転角度（クランク角度）を検出する。クランク角度検出器３２によって検出されたクランク角度情報は、制御装置３０へ送られる。制御装置３０は、クランク角度検出器３２によって検出されたクランク角度検出結果に基づいて、エンジン回転数を算出する。そして、制御装置３０は、後述するエンジントルク推定結果（排気温度に関連）及びエンジン回転数（排気流量に関連）に基づき、燃料噴射ノズル４１に所定量の空気及び燃料が供給されるようエアポンプ４３及び燃料ポンプ４４を駆動させて、燃料噴射ノズル４１による燃料噴射量を制御する制御手段としての機能を有する。
【００４３】
また、空燃比センサ３３は、排気通路１３を流れる排気中の酸素濃度を検出する。空燃比センサ３３によって検出された酸素濃度検出結果は、制御装置３０に送られる。
排気中の酸素濃度は標高により変動する。ここで、図１（ｂ）に、排気中の酸素濃度とエンジントルクとの関係をグラフで示す。横軸に排気中の酸素濃度を示し、縦軸にエンジントルクを示している。図１（ｂ）において、標高が高いときの酸素濃度とエンジントルクとの関係を実線Ｙ１で示し、また、標高が低いときの酸素濃度とエンジントルクとの関係を破線Ｙ２で示している。
【００４４】
実線Ｙ１及び破線Ｙ２は、実測した酸素濃度データから一次式で近似したものであり、これら一次式のグラフは、例えば、次式で示される。
Ｙ１＝−ａｘ＋ｂ…（１）
Ｙ２＝−ｃｘ＋ｄ…（２）
ここで、ａ，ｃは定数であり、｜ａ｜＜｜ｃ｜となっている。ｂ，ｄはエンジン１０が無負荷の時の酸素濃度に対応する。そして、上記（１）、（２）式は、それぞれの標高に応じて設定された酸素濃度とエンジントルクとの関係を示す換算近似式であり、ＲＯＭには標高に応じた換算近似式がＹ１，Ｙ２以外にも複数記憶されている。また、この換算近似式を用いることで、標高に応じた酸素濃度からエンジントルクが推定できるようになっている。よって、本実施形態における制御装置３０は、エンジントルクを推定するトルク推定手段としての機能も有する。
【００４５】
また、アクセル踏み込み量が零、すなわち、エンジン１０が無負荷状態のとき（アイドル状態のとき）は、負荷を扱うこと等による酸素濃度変化がないため、エンジン１０が無負荷状態のときの排気中の酸素濃度を検出することで、標高を正確に推定することができる。そして、制御装置３０は、無負荷状態のときの空燃比センサ３３による酸素濃度検出結果に基づいて標高を推定する。よって、制御装置３０は標高推定手段としての機能も有する。
【００４６】
さらに、ＲＯＭには、エンジントルクとエンジン回転数とを関係付けた排気温マップが予め記憶されており、制御装置３０は、この排気温マップを用いて排気温度を推定する。また、ＲＯＭには、エンジントルクとエンジン回転数とを関係付けたＰＭ排出量マップが予め記憶されている。そして、制御装置３０は、このＰＭ排出量マップによりフィルタ２０に堆積したＰＭ堆積量を推定する。よって、本実施形態における制御装置３０は、ＰＭ堆積量を推定する堆積量推定手段としての機能も有する。
【００４７】
次に、本実施形態の制御装置３０におけるフィルタ２０の再生処理の制御手順について説明する。この再生処理の制御は、所定時間ごとに実行されるものである。
図３に示すように、まず、制御装置３０は、アクセルポジションセンサ３１により検出されたアクセル踏み込み量検出結果に基づいてエンジン１０が無負荷状態であるか否かを判定する（ステップＳ１０）。この判定結果が肯定（アクセル踏み込み量が零）の場合（ステップＳ１０においてＹＥＳ）、制御装置３０は、空燃比センサ３３により検出された酸素濃度検出結果に基づいて標高を推定する（ステップＳ１１）。ステップＳ１１において推定された標高はＲＡＭに記憶される。一方、ステップＳ１０の判定結果が否定の場合（ステップＳ１０においてＮＯ）、ステップＳ１０の処理を繰り返し実行する。
【００４８】
次に、制御装置３０は、ステップＳ１１において推定された標高に応じた換算近似式を選定する（ステップＳ１２）。そして、制御装置３０は、ステップＳ１２において選定された換算近似式と、酸素濃度検出結果とに基づいてエンジントルクを推定する（ステップＳ１３）。次に、制御装置３０は、クランク角度検出器３２によって検出されたクランク角度検出結果に基づいてエンジン回転数を算出するとともに、そのエンジン回転数と、ステップＳ１３において推定されたエンジントルクとに基づいてＰＭ排出量マップからＰＭ堆積量を推定する（ステップＳ１４）。
【００４９】
そして、ステップＳ１４において推定されたＰＭ堆積量が所定量以上であるか否かを判定する（ステップＳ１５）。ステップＳ１５の判定結果が否定の場合（ステップＳ１５においてＮＯ）、フィルタ２０におけるＰＭ堆積量にまだ余裕があり、フィルタ２０の再生処理を必要としていないため、この一連の処理を終了する。一方、この判定結果が肯定の場合（ステップＳ１５においてＹＥＳ）、制御装置３０は、フィルタ２０の再生処理モードを開始する制御を行う（ステップＳ１６）。
【００５０】
そして、制御装置３０は、エアポンプ４３及び燃料ポンプ４４を駆動させるとともに燃料噴射ノズル４１から燃料を噴射するように制御して、点火プラグ４２により燃料を着火燃焼させる（ステップＳ１７）。すると、バーナ管４０ａで燃料が燃焼し、フィルタ２０上流の排気温度が昇温する。次に、制御装置３０は、ステップＳ１３において推定されたエンジントルク及びエンジン回転数を用いて、排気温マップから排気温度を推定する（ステップＳ１８）。そして、制御装置３０は、ステップＳ１８において推定された排気温度が適切な温度として予め設定された温度（例えば、６５０℃）に維持されるように、エアポンプ４３及び燃料ポンプ４４の駆動を制御して、燃料噴射ノズル４１による燃料噴射量を制御する（ステップＳ１９）。ここで、排気温度が６５０℃に維持されている時間はタイマカウンタによりカウントされている。
【００５１】
次に、制御装置３０は、タイマカウンタによりカウントされた時間が所定時間経過したか否かを判定して、フィルタ２０の再生処理が完了したか否かを判定する（ステップＳ２０）。ここで、「所定時間」とは、フィルタ２０に堆積したＰＭを燃焼除去するために必要な時間のことをいう。この判定結果が肯定の場合（ステップＳ２０においてＹＥＳ）、フィルタ２０に堆積したＰＭが燃焼除去されたと判断し、制御装置３０によるフィルタ２０の再生処理の制御が終了する。一方、ステップＳ２０の判定結果が否定の場合（ステップＳ２０においてＮＯ）、ステップＳ１８へ移行する。
【００５２】
上記実施形態では以下の効果を得ることができる。
（１）制御装置３０は、空燃比センサ３３により検出された酸素濃度検出結果に基づいてエンジントルクを推定している。そして、推定されたエンジントルクと、検出されたエンジン回転数とに基づいてフィルタ２０におけるＰＭ堆積量を推定する。よって、例えば、フィルタ２０におけるＰＭ堆積量を推定するために、フィルタ２０の上流側及び下流側に温度センサを設ける必要がなく、簡単な構成でフィルタ２０におけるＰＭ堆積量を推定することができる。さらに、制御装置３０は、推定されたトルクに基づいて排気温度を推定することができる。よって、排気温度検出のために、熱電対のような温度センサを必要とせず、装置自体を簡素化することができる。また、エンジン１０が図２に示すようなガバナ特性を有していても、制御装置３０は、酸素濃度検出結果からエンジントルクを推定することで、エンジン１０の無負荷状態を検知する以外にアクセルポジションセンサ３１を用いることなく安価なシステムでエンジントルクの変化を推定することができる。そして、制御装置３０は、そのエンジントルクに基づいて燃料噴射ノズル４１によるＰＭ除去のための燃料噴射量を制御することで、フィルタ２０よりも上流の排気温度を適切な温度に昇温させ、フィルタ２０に堆積したＰＭを除去することができる。
【００５３】
（２）制御装置３０は、排気中の酸素濃度に基づいて標高を推定する。よって、例えば、気圧センサ等を用いて標高を推定する場合に比べて、部品点数を増加させることなく標高を推定することができる。そして、制御装置３０は、標高に応じて選定された換算近似式を用いて、その標高に車両があるときの空燃比センサ３３により検出された酸素濃度に基づいて、そのときのエンジントルクを推定している。よって、排気中の酸素濃度が標高によって変動したとしても、エンジントルクを正確に推定することができる。
【００５４】
（３）例えば、アクセルペダル１８を踏み込むことでトルクが変動すると、排気中の酸素濃度にばらつきが生じるが、制御装置３０は、エンジン１０が無負荷状態のときの酸素濃度に基づいて標高を推定している。よって、空燃比センサ３３により検出される酸素濃度にばらつきが生じることがなく、標高を正確に推定することができる。
【００５５】
（４）本実施形態では、昇温手段として、燃料噴射ノズル４１と、点火プラグ４２と、エアポンプ４３と、燃料ポンプ４４とを備えたバーナ装置４０を適用した。よって、エアポンプ４３及び燃料ポンプ４４を制御し燃料噴射ノズル４１からの燃料噴射量を制御することで、フィルタ２０上流の排気温度を制御することができる。よって、フィルタ２０の再生処理のために燃料を噴射するといった自由な制御ができないエンジン１０であっても、フィルタ２０よりも上流側にバーナ装置４０を設けることで、フィルタ２０の再生処理のために燃料を噴射してフィルタ２０上流の排気温度を昇温させることができる。したがって、エンジン１０がコモンレール式ディーゼルエンジンのように電子制御装置を備えていなくても、簡単な構成でフィルタ２０上流の排気温度を制御することができる。
【００５６】
（５）制御装置３０は、標高に応じた換算近似式を用いて推定されたエンジントルクと、エンジン回転数とを用いてＰＭ堆積量を推定しているため、その標高に車両があるときにおけるフィルタ２０に堆積したＰＭ堆積量を正確に推定することができる。
【００５７】
（６）例えば、温度センサとしての熱電対により排気温度を検出する場合、熱電対自身が熱容量を持つため、例えばエンジントルクが瞬時に大きく変わるフォークリフト用（建設機械用）エンジンには追随できず、熱電対では正確な温度検出ができない場合がある。しかし、上記構成の排気浄化装置によれば、空燃比センサ３３により検出される排気中の酸素濃度検出結果を用いて排気温度を推定することができるため、排気温度の変化が速い場合にも、熱電対により排気温度を検出する場合に比べて、正確に排気温度を推定することができる。
【００５８】
（７）換算近似式を用いることで、空燃比センサ３３により検出された酸素濃度のみをパラメータとして使用するだけで、エンジントルクを推定することができる。よって、エンジントルクを推定するための演算処理が簡素化される。
【００５９】
（第２の実施形態）
以下、本発明を具体化した第２の実施形態の制御装置３０におけるフィルタ２０の再生処理の制御手順について図４及び図５にしたがって説明する。なお、以下に説明する実施形態では、既に説明した第１の実施形態と同一構成について同一符号を付すなどして、その重複する説明を省略又は簡略する。
【００６０】
本実施形態では、エンジントルクの推定方法として、換算近似式ではなく、酸素濃度マップを用いている。ここにおける酸素濃度マップは、標高毎に設定された複数の酸素濃度マップである。なお、ＲＯＭには、図４に示すような標高に応じた酸素濃度マップが予め複数記憶されている。
【００６１】
図４は、ある標高における酸素濃度に基づいて得られるエンジン回転数とエンジントルクとの関係を示す酸素濃度マップである。この酸素濃度マップにおいて、帯状部分により排気中の酸素濃度帯を示すとともに、横軸にエンジン回転数を示し、縦軸にエンジントルクを示している。図４に示すように、排気中の酸素濃度帯毎は、エンジントルクと関係がある。このため、空燃比センサ３３による酸素濃度検出結果及びエンジン回転数に基づいてエンジントルクを推定することができるのである。
【００６２】
図５に示すように、まず、制御装置３０は、第１の実施形態と同様にステップＳ１０の処理にてエンジン１０が無負荷状態であるか否かを判定するとともに、この判定結果が肯定の場合に、ステップＳ１１の処理にて空燃比センサ３３により検出された酸素濃度検出結果に基づいて標高を推定する。
【００６３】
次に、制御装置３０は、ステップＳ１１において推定された標高に応じた酸素濃度マップを選定する（ステップＳ２１）。そして、制御装置３０は、ステップＳ２１において選定された酸素濃度マップを用いて、酸素濃度検出結果と、検出されたエンジン回転数とに基づいてエンジントルクを推定する（ステップＳ２２）。例えば、図４に示す酸素濃度マップが選定された場合、検出されたエンジン回転数（例えばエンジン回転数Ｎｘ）と、検出された酸素濃度（例えば酸素濃度１４％）とからエンジントルクＴｘが推定される。次に、制御装置３０は、ステップＳ１４の処理へ移行して、ＰＭ堆積量を推定する。なお、ステップＳ１４以降については、第１の実施形態における制御装置３０におけるフィルタ２０の再生処理の制御手順と同様のため、その説明を省略する。
【００６４】
したがって、第２の実施形態によれば、第１の実施形態の効果（１）〜（６）と同様の効果に加えて、以下に示す効果を得ることができる。
（８）制御装置３０は、標高と、エンジン回転数と、エンジントルクとの関係を表す酸素濃度マップを標高に応じて選定し、選定された酸素濃度マップを用いて酸素濃度とエンジン回転数とに応じたエンジントルクを推定している。よって、酸素濃度とエンジントルクとの関係からエンジントルクを推定する場合に比べて、エンジン回転数をパラメータとして考慮している分、さらに正確なエンジントルクを得ることができる。
【００６５】
（第３の実施形態）
以下、本発明を具体化した第３の実施形態を図６及び図７にしたがって説明する。
図６に示すように、バーナ管４０ａ内には温度センサ５１が設けられるとともに、温度センサ５１によって検出された温度検出結果が制御装置３０に送られるようになっている。また、エンジン１０はオートチョーク５２を備えている。オートチョーク５２は、制御装置３０と信号接続されるとともに、制御装置３０は、排気温度が所定温度よりも低い場合にオートチョーク５２をＯＮにするようオートチョーク５２に対して指令信号を送り、排気温度が所定温度よりも高くなると、オートチョーク５２をＯＦＦにするようにオートチョーク５２に対して指令信号を送るようになっている。
【００６６】
そして、本実施形態では、制御装置３０がフィルタ２０の再生処理モードを開始した後に行われる失火対策処理が、フィルタ２０の再生処理に組み込まれている。この失火対策処理は、図３又は図５に示すフローチャートにおいて、ステップＳ１６とステップＳ１８との間に組み込まれている。なお、以下の説明では、ステップＳ１０からステップＳ１６までの処理、及びステップＳ１８からステップＳ２０までの処理は、第１及び第２の実施形態と同様のためその説明を省略するとともに、図７においてその図示を簡略化している。
【００６７】
図７に示すように、制御装置３０は、ステップＳ１６の処理の後、ステップＳ１３又はステップＳ２２において推定されたエンジントルク及びエンジン回転数を用いて排気温度を推定し、推定された排気温度が所定温度である１００℃以上であるか否かを判定する（ステップＳ３１）。この判定結果が肯定の場合（ステップＳ３１においてＹＥＳ）、制御装置３０は、排気温度が所定温度よりも低い状態ではないと判断し、ステップＳ１７に移行した後、ステップＳ１８に移行する。一方、ステップＳ３１の判定結果が否定の場合（ステップＳ３１においてＮＯ）、排気温度が所定温度よりも低い状態であると判断し、制御装置３０は、オートチョーク５２をＯＮにするようオートチョーク５２に対して指令信号を送る（ステップＳ３２）。すると、吸気通路１２を流れる吸気が自動的に絞られてエンジン回転数が上昇し、その結果、排気温度が上昇する。
【００６８】
次に、制御装置３０は、ステップＳ１３又はステップＳ２２において推定されたエンジントルクと、検出されたエンジン回転数とを用いて、ＲＯＭに予め記憶された排気温マップから排気温度を推定し、その推定された排気温度が１００℃以上であるか否かを判定する（ステップＳ３３）。この判定結果が肯定の場合（ステップＳ３３においてＹＥＳ）、制御装置３０は、ステップＳ１７に進んだ後、温度センサ５１により検出された温度検出結果に基づいて、バーナ管４０ａ内の温度が１５０℃以上であるか否かを判定する（ステップＳ３４）。この判定結果が肯定の場合（ステップＳ３４においてＹＥＳ）、バーナ管４０ａ内の温度が排気により暖められており、燃料噴射ノズル４１から噴射される燃料を点火プラグ４２により着火燃焼する際に、バーナ管４０ａ内で燃料が失火してしまう虞がない。よって、制御装置３０は、オートチョーク５２をＯＦＦにするようにオートチョーク５２に対して指令信号を送る（ステップＳ３５）。すると、排気温度を昇温させるためにエンジン回転数を上げる制御が終了して、ステップＳ１８へ移行する。一方、ステップＳ３３又はステップＳ３４の判定結果が否定の場合（ステップＳ３３又はステップＳ３４においてＮＯ）は、ステップＳ３３又はステップＳ３４の処理を繰り返し実行する。
【００６９】
したがって、第３の実施形態によれば以下に示す効果を得ることができる。
（９）制御装置３０は、排気温度が所定温度よりも低い状態である場合に、フィルタ２０の再生処理モードを開始するようにバーナ装置４０に指令信号を送ってから、点火プラグ４２により燃料を着火するまでの間に、エンジン回転数を上げて排気温度を上昇させる制御を行う。よって、排気温度が所定温度よりも低い状態で燃料噴射ノズル４１から噴射される燃料を点火プラグ４２により着火燃焼させる際に、バーナ管４０ａ内で燃料が失火してしまうことを抑制することができる。
【００７０】
（第４の実施形態）
以下、本発明を具体化した第４の実施形態を図８及び図９にしたがって説明する。本実施形態では、ＰＭ堆積量の推定方法として、トルクによる推定ではなく、差圧センサの検出値を用いている。
【００７１】
図８に示すように、フィルタの上流側及び下流側の差圧ΔＰを検出する差圧センサ６１が設けられるとともに、差圧センサ６１によって検出された検出値（差圧ΔＰ）が制御装置３０に送られるようになっている。そして、図９に示すように、第１の実施形態と同様にステップＳ１０からＳ１３の処理を行った後、制御装置３０は、差圧センサ６１によって検出された差圧ΔＰに基づいてＰＭ堆積量を推定する（ステップＳ４１）。次に、制御装置３０は、ステップＳ１５の処理へ移行し、ステップＳ４１において推定されたＰＭ堆積量が所定量以上であるか否かを判定する。なお、ステップＳ１５以降については、第１の実施形態における制御装置３０におけるフィルタ２０の再生処理の制御手順と同様のため、その説明を省略する。
【００７２】
したがって、第４の実施形態によれば、第１の実施形態の効果（２）〜（４）、（６）、（７）と同様の効果に加えて、以下に示す効果を得ることができる。
（１０）制御装置３０は、差圧センサ６１によって検出されるフィルタの上流側及び下流側の差圧ΔＰが所定の閾値を越えたことのみを判定すればよいため、トルク推定によるＰＭ堆積量の積算で再生の要否の判断をすることと比較して、単純な制御でフィルタ再生の要否を判断することができる。また、差圧センサ６１であればセンサは１個で済むため、温度センサなど２個の絶対圧センサを用いる場合に比べて、部品点数の低減に加えて個体差のばらつきによる推定精度の低下を低減することができる。
【００７３】
なお、上記実施形態は以下のように変更してもよい。
○  第３の実施形態の失火対策処理を第１、第２及び第４の実施形態に適用してもよい。その際には、エンジントルク及びエンジン回転数により推定される排気温度が２００℃を越えるまでオートチョーク５２を作動させる。具体的には、図１０に示すように、まず、制御装置３０は、排気温度が所定温度よりも低い状態のとき（ステップＳ３１においてＮＯ）、ステップＳ３２においてオートチョーク５２をＯＮにする。次に、制御装置３０は、ステップＳ３３を介してステップＳ１７に移行した後、エンジントルク及びエンジン回転数により推定される排気温度が２００℃以上であるか否かを判定する（ステップＳ５１）。この判定結果が肯定の場合（ステップＳ５１においてＹＥＳ）、バーナ管４０ａ内の温度が排気により暖められており、燃料噴射ノズル４１から噴射される燃料を点火プラグ４２により着火燃焼する際に、バーナ管４０ａ内で燃料が失火してしまう虞がない。よって、制御装置３０は、ステップＳ３５へ移行して、オートチョーク５２をＯＦＦにするようにオートチョーク５２に対して指令信号を送る。一方、ステップＳ５１の判定結果が否定の場合（ステップＳ５１においてＮＯ）、制御装置３０は、エンジントルク及びエンジン回転数により推定される排気温度が２００℃以上になるまでオートチョーク５２を作動させる。このようにすれば、温度センサ５１によりバーナ管４０ａ内の温度を検出する必要がないため、温度センサ５１を省略しつつ失火対策処理をすることができる。
【００７４】
○  上記各実施形態において、制御装置３０は、エンジン１０が無負荷状態のときに、空燃比センサ３３により検出された酸素濃度検出結果に基づいて標高を推定したが、これに限らず、例えば、所定のエンジン回転数のときに、空燃比センサ３３により検出された酸素濃度検出結果に基づいて標高を推定してもよい。
【００７５】
○  上記各実施形態において、制御装置３０は再生処理が開始すると、常にステップ１１において標高を推定したが、これに限らない。例えば、標高差がそれほどない場所でエンジン１０を使用するならば、一度ステップＳ１０〜ステップＳ１２の処理を経た場合に、エンジン１０が作動継続であることを条件として、ステップ１５がＮＯの判定のときに、ステップＳ１３に戻りステップＳ１５がＹＥＳの判定になるまでステップＳ１３〜ステップＳ１５を繰り返す処理をしてもよい。
【００７６】
○  上記各実施形態では、ステップＳ１８においては、ステップＳ１３あるいはステップＳ２２において推定されたエンジントルク及びエンジン回転数を用いて、排気温マップから排気温度を推定していたが、これに限らない。例えば、ステップＳ１８において、再度エンジントルクを空燃比センサ３３によって推定し、エンジン回転数を検出して、排気温マップから排気温度を推定してもよい。
【００７７】
○  上記各実施形態では、昇温手段としてバーナ装置４０を用いたが、これに限らず、例えば、電気加熱によりフィルタ２０上流の排気温度を昇温させる電気ヒータを用いてもよい。
【００７８】
○  上記各実施形態では、エンジン１０の無負荷状態を検知するのにアクセルポジションセンサ３１を用いていたが、これに限らず、例えば、燃料噴射ポンプ１５の作動状態でエンジン１０の無負荷状態を検知してもよく、単にアクセル踏み込み量が零かどうかのみを検出するものであってもよい。
【００７９】
○  第３の実施形態では、オートチョーク５２を用いて、吸気通路１２を流れる吸気を自動的に絞るようにしたが、これに限らず、手動式のチョークを用いて、吸気通路１２を流れる吸気を絞るようにしてもよい。
【００８０】
○  本発明を、コモンレール式ディーゼルエンジンに適用してもよい。
○  本発明は、フォークリフト用ディーゼルエンジンに限らず、例えば、パワーショベル等の建設機械用エンジンに適用することもできる。
【００８１】
○  本発明は、ディーゼルエンジンの排気浄化装置に限らず、ガソリンエンジンの排気浄化装置に適用することもできる。
次に、上記実施形態及び別例から把握できる技術的思想について以下に追記する。
【００８２】
（イ）前記内燃機関は、燃料噴射量を機械的に調整する燃料噴射ポンプを備えていることを特徴とする請求項１〜請求項８のいずれか一項に記載の内燃機関の排気浄化装置。
【符号の説明】
【００８３】
１０…内燃機関としてのエンジン、１３…排気通路、２０…フィルタ、３３…酸素濃度検出手段としての空燃比センサ、３０…トルク推定手段、標高推定手段、堆積量推定手段、及び制御手段としての機能を有する制御装置、４０…昇温手段としてのバーナ装置、４１…燃料噴射ノズル、４２…点火プラグ、４３…エアポンプ、４４…燃料ポンプ、６１…差圧センサ。
【図１】
2011252486.tif 000003
【図２】
2011252486.tif 000004
【図３】
2011252486.tif 000005
【図４】
2011252486.tif 000006
【図５】
2011252486.tif 000007
【図６】
2011252486.tif 000008
【図７】
2011252486.tif 000009
【図８】
2011252486.tif 000010
【図９】
2011252486.tif 000011
【図１０】
2011252486.tif 000012